(57)【要約】【課題】緊急時の避難の邪魔にならず、建物の外観を損ねることもない、ベランダ空間の一部を収納スペースとして有効利用できる集合住宅のベランダ用収納庫を提供する。【解決手段】開口枠２の側端に位置する戸本体３の下半部外面に収納庫２０を形成する。収納庫２０は左右一対の側壁２１と、側壁２１の上下を塞ぐ屋根壁２２および底壁２３と、前面の出入口２４を開閉する障子２５などで構成する。戸本体３と一体に収納庫２０を設けてベランダ空間の一部を収納スペースとして有効利用するので、緊急時に収納庫２０が避難の邪魔になることはなく、建物の外観を損ねることもない。両側端の戸本体３の下半部外面に収納庫２０を設けるので、室内からの視野が収納庫２０によって大きく遮られることがなく、しかも収納庫２０が採光や換気の邪魔になることもない。【選択図】        図１
2004270291.tif 000002
【特許請求の範囲】
【請求項１】
緊急時の避難経路を兼ねるベランダに臨んで引戸１が設けられており、
引戸１は、開口枠２と、開口枠２で引き違い開閉自在に案内支持される複数個の戸本体３とで構成されており、
戸本体３は、左右一対の縦戸枠１１と、上下一対の横戸枠１２と、縦横の両戸枠１１・１２に固定される戸パネル１３を含み、
内外に隣接する戸本体３のうち、ベランダ側に位置する戸本体３の下半部外面に収納庫２０が形成されており、
収納庫２０が、戸本体３の両縦戸枠１１の外面に固定される左右一対の側壁２１と、両側壁２１の上下を塞ぐ屋根壁２２、および底壁２３と、収納庫２０の出入口２４を開閉する障子２５を含んで構成してある集合住宅のベランダ用収納庫。
【請求項２】
戸本体３が、両縦戸枠１１の上下中途部の間に固定される補強桟１７を含んで構成されており、
収納庫２０が、両縦戸枠１１の外面に締結固定される左右一対の側壁２１と、補強桟１７に締結固定される屋根壁２２と、下側の横戸枠１２に締結固定される底壁２３と、出入口２４を引き違い開閉する障子２５で構成してある請求項１記載の集合住宅のベランダ用収納庫。
【請求項３】
収納庫２０の障子２５が太陽光の透過を許す採光可能な障子パネル４５を含んで形成してある請求項１または２記載の集合住宅のベランダ用収納庫。
【請求項４】
収納庫２０と内外に対向する戸パネル１３が、透明材で形成してある請求項３記載の集合住宅のベランダ用収納庫。
【請求項５】
開口枠２が左右一対の縦開口枠５・５と、上下のガイド枠６・７とで構成されており、
収納庫２０が組み付けられた戸本体３の上側の横戸枠１２に、上側のガイド枠６で転動案内されるランナーローラー５２が設けられており、
ランナーローラー５２が、ガイド枠６の屋外側の転動壁５４で転動案内されて、収納庫２０および庫内の収納物の重量による戸本体３の傾動モーメントが、ランナーローラー５２を介してガイド枠６で受け止められている請求項１〜４のいずれかに記載の集合住宅のベランダ用収納庫。
【発明の詳細な説明】
【０００１】
【発明の属する技術分野】
本発明は、集合住宅のベランダ空間を利用して設置される収納庫、なかでもベランダに臨んで設けられる引戸を利用して構成される収納庫に関する。
【０００２】
【従来の技術】
集合住宅のベランダは共有部分であり、火災などの緊急時の避難路を兼ねている。さらに、集合住宅の家主との契約や、管理組合の規約などによって、美観を損ねる物の設置が制限されており、物置などの収納庫を設置できないことになっている。しかし、緊急時の避難に支障がなく、規約などに違反しない範囲で、ベランダ空間の一部を収納スペースとして有効利用することが検討されている。例えば、屋外に臨むドアを利用して履物の収納庫を構成することが公知である（特許文献１参照）。そこでは、室内に向かって開口する収納ボックスをドアの下部に取り付け、収納ボックスの開口を室内側から操作される蓋で開閉できるようにしている。収納ボックスには屋外用の履物が収納される。
【０００３】
ベランダに臨んで設けられた引戸のうち、片方の戸本体を取り外し、代わりに収納ユニットを開口枠にはめ込む形態の収納庫が提案されている（特許文献２参照）。収納ユニットは、室内に向かって開口する大きな箱体と、箱体の開口縁に固定されるサッシ枠と、箱体を支えるキャスター等で構成してある。サッシ枠は戸本体と同じ大きさに形成してあり、引戸の開口枠に組み込まれる。収納物を箱体に出し入れするときは、ウォークインクロゼットと同様に箱体内に出入りできると思われる。
【０００４】
【特許文献１】
特開平９−８８４４９号公報（段落番号００、図１）
【特許文献２】
特開２００２−２１４５０号公報（段落番号００１２、図２）
【０００５】
【発明が解決しようとする課題】
特許文献１の収納庫は履物を収容できる程度の大きさであるので、収納庫が緊急時の避難の邪魔になることはない。しかし、収納対象が履物と同程度の大きさの小さな物品に限られ、収納できる物品に制約がある。特許文献２に見られるように、収納庫を大型化すると、より大きな物品でも収納できるが、建物の外観を損ないやすい。収納庫が開口枠の半分を塞ぐので、室内からの視野が大きく遮られるうえ、圧迫感を与えてしまう。収納庫が採光や換気の邪魔になる不利もある。収納庫がベランダ側へ大きく張り出すので、避難の邪魔になるおそれがあり、安全性を確保するうえで問題がある。要するに、従来の収納庫は小さいか、大きいかのいずれかしかなく、実用性に欠けるものでしかなかった。
【０００６】
本発明の目的は、緊急時の避難に支障がないのはもちろん、建物の外観を損ねることもなく、ベランダ空間の一部を収納スペースとして有効利用できる集合住宅のベランダ用収納庫を提供することにある。本発明の目的は、収納庫がベランダに臨む引戸に付設してあるにもかかわらず、室内からの視野が収納庫によって大きく遮られるのを解消できるうえ、収納庫が採光や換気の邪魔になることもない集合住宅のベランダ用収納庫を提供することにある。本発明の目的は、収納庫を利用して植木鉢を収容できる、集合住宅、なかでも高層の集合住宅に好適なベランダ用収納庫を提供することにある。本発明の目的は、収納庫に収容した鉢植えの植物を室内から鑑賞することができる、集合住宅のベランダ用収納庫を提供することにある。
【０００７】
【課題を解決するための手段】
本発明のベランダ用収納庫は、緊急時の避難経路を兼ねるベランダに臨んで引戸１が設けてある集合住宅を対象とする。引戸１は、開口枠２と、開口枠２で引き違い開閉自在に案内支持される複数個の戸本体３とで構成する。戸本体３は、左右一対の縦戸枠１１と、上下一対の横戸枠１２と、縦横の両戸枠１１・１２に固定される戸パネル１３を含む。内外に隣接する戸本体３のうち、ベランダ側に位置する戸本体３の下半部外面に収納庫２０を形成する。収納庫２０は、戸本体３の両縦戸枠１１の外面に固定される左右一対の側壁２１と、両側壁２１の上下を塞ぐ屋根壁２２、および底壁２３と、収納庫２０の出入口２４を開閉する障子２５を含んで構成する。
【０００８】
戸本体３は、両縦戸枠１１の上下中途部の間に固定される補強桟１７を含んで構成する。収納庫２０は、両縦戸枠１１の外面に締結固定される左右一対の側壁２１と、補強桟１７に締結固定される屋根壁２２と、下側の横戸枠１２に締結固定される底壁２３と、出入口２４を引き違い開閉する障子２５で構成する。
【０００９】
収納庫２０の障子２５は、太陽光の透過を許す採光可能な障子パネル４５を含んで形成する。収納庫２０と内外に対向する戸パネル１３は、透明材で形成する。
【００１０】
開口枠２は左右一対の縦開口枠５・５と、上下のガイド枠６・７とで構成する。収納庫２０が組み付けられた戸本体３の上側の横戸枠１２に、上側のガイド枠６で転動案内されるランナーローラー５２を設ける。ランナーローラー５２は、ガイド枠６の屋外側の転動壁５４で転動案内する。以て、収納庫２０および庫内の収納物の重量による戸本体３の傾動モーメントを、ランナーローラー５２を介してガイド枠６で受け止める。
【００１１】
【発明の作用効果】
本発明では、内外に隣接する戸本体３のうち、ベランダ側に位置する戸本体３の下半部外面に収納庫２０を形成するので、緊急時に収納庫２０が避難の邪魔になるのを解消できるのはもちろん、収納庫２０が建物の外観を損ねることもなく、ベランダ空間の一部を収納スペースとして有効利用できる。戸本体３の下半部外面に限って収納庫２０を形成するので、室内からの視野が収納庫２０によって大きく遮られるのを避けることができるうえ、収納庫２０の上下高さが低い分だけ室内に圧迫感を与えることもない。収納庫２０が採光や換気の邪魔になることも解消できる。戸本体３の開閉に同行して収納庫２０を移動できるので、収納庫２０によって開口面が塞がれることもない。
【００１２】
左右一対の側壁２１を両縦戸枠１１に締結固定し、屋根壁２２および底壁２３を、両縦戸枠１１の上下中途部に設けた補強桟１７と、下側の横戸枠１２とにそれぞれ締結固定して構成した収納庫２０によれば、障子２５を除く収納庫２０の構成部材の全てを、戸本体３の充分な強度を備えた構造材と一体化して、互いに補強し合うことができるので、戸本体３および収納庫２０の構造強度を向上でき、とくに堅牢な収納庫２０が得られる。
【００１３】
収納庫２０の障子２５を採光可能な障子パネル４５を含んで形成すると、庫内に太陽光を採り入れることができるので、収納庫２０に鉢植え植物などを収容でき、とくに強風を受けることが多い高層の集合住宅において、ベランダに置いた植木鉢が突風で吹き飛ばされてしまうのを確実に防止できる。収納庫２０は鉢植え植物用の温室としても利用できるので、冬期に植木鉢を室内に移す手間も省ける。
【００１４】
収納庫２０と内外に対向する戸パネル１３を透明材で形成すると、収納庫２０に収容した鉢植えの植物を室内から鑑賞することができるので、戸本体３に収納庫２０を設けることに伴う室内の圧迫感を和らげることができるうえ、ベランダへ出る必要もなく、植物の状態や培土の湿度状態等を容易に確認できる。
【００１５】
戸本体３の上側の横戸枠１２に、上側のガイド枠６で転動案内されるランナーローラー５２を設け、収納庫２０および庫内の収納物の重量による戸本体３の傾動モーメントを、ランナーローラー５２を介してガイド枠６の屋外側の転動壁５４で受け止めると、先の傾動モーメントに伴う上側のガイド枠６と戸本体３との間の摩擦抵抗を著しく軽減して、戸本体３を軽快に開閉できる。
【００１６】
【実施例】
図１ないし図５は、本発明に係るベランダ用収納庫の実施例を示す。図１において符号１はベランダに臨んで設けられた引戸である。ベランダは緊急時の避難経路を兼ねていて、隣家のベランダとは、境界位置に配置した隔壁（図示していない）を介して区分してある。隔壁を破壊することにより、隔壁の一方のベランダから他方のベランダへと避難できる。
【００１７】
引戸１は、ベランダに臨む壁面に固定される開口枠２と、開口枠２で引き違い開閉自在に案内支持される４個の戸本体３とで構成する。開口枠２は、それぞれアルミニウム条材で形成される左右一対の縦開口枠５・５と上下のガイド枠６・７とで構成する。図４に示すように上下のガイド枠６・７には、それぞれ戸本体３を移行案内するガイドレール８・９が一体に形成してある。
【００１８】
戸本体３は、左右一対の縦戸枠１１・１１と、上下一対の横戸枠１２・１２と、縦横の両戸枠１１・１２に固定される透明な板ガラス（戸パネル）１３とで構成する。縦戸枠１１、および横戸枠１２は、それぞれ中空のアルミニウム条材で形成してある。図４に示すように縦戸枠１１の上端には、上側のガイドレール８で案内支持される切欠１４が形成され、下側の横戸枠１２には戸車１５が装着してある。符号１６（図１参照）は戸本体３を開閉操作するための杷手である。
【００１９】
内外に隣接する４個の戸本体３のうち、ベランダ側に位置し、開口枠２の両側端に位置する戸本体３を利用して、その下半部外面に収納庫２０を形成している。収納庫２０が組み付けられる戸本体３の構造強度を増強するために、両側端に位置する戸本体３には補強桟１７が設けてある。補強桟１７は横戸枠１２と同様のアルミニウム条材からなり、両縦戸枠１１の上下中央部の間に配置され、縦戸枠１１の外側方からねじ込んだビス１８（図２参照）で締結固定してある。
【００２０】
図２に示すように収納庫２０は、左右の縦戸枠１１の外面に固定される左右一対の側壁（周側壁）２１と、両側壁２１の上下を塞ぐ屋根壁２２および底壁２３と、収納庫２０の前面の出入口２４を開閉する障子２５と、必要に応じて庫内に配置されて、庫内を多段状に区分する棚板２８（図１、図５参照）などで構成する。
【００２１】
図３に示すように、左右の側壁２１は同じ断面形状の中空のアルミニウム条材からなり、縦戸枠１１への接合面の側に締結壁２６が一体に形成してある。締結壁２６の上下複数箇所をビス２７で締結することにより、側壁２１は戸枠１１と一体化される。側壁２１の前後長さは２０〜２５ｃｍである。
【００２２】
図４に示すように、屋根壁２２および底壁２３は、それぞれ中空のアルミニウム条材からなり、先の側壁２１と同様の締結壁３０・３１が一体に形成してある。屋根壁２２の締結壁３０を補強桟１７にビス３２で締結し、底壁２３の締結壁３１を下側の横戸枠１２にビス３３で締結することにより、屋根壁２２および底壁２３が戸本体３に固定される。屋根壁２２は両側壁２１に対してビス３４で締結固定され、底壁２３は両側壁２１に対してビス３５（図３参照）で締結固定される。図４に示すように、屋根壁２２の上面壁は、出入口２４の側へ向かって下り傾斜させてあり、その両側端はキャップ３６で塞いである。屋根壁２２および、底壁２３の前部内面には、障子２５を開閉案内するガイドレール３７・３８が上下対向状に形成してある。
【００２３】
図１に向かって、右側の収納庫２０は、文字通り収納庫として使用するが、左側の収納庫２０は、鉢植えの植物を収容する温室として使用することを想定しており、そのため左右の収納庫２０における障子２５の構造は異なっている。図２および図４に示すように前者障子２５は、左右一対の塗装鋼板製の中空パネル３９・３９を先のガイドレール３７・３８で移行案内して、引き違い開閉自在な引戸として構成してある。中空パネル３９の上端はキャップ４０で塞いであり、下面には戸車４１が設けてある。この収納庫２０の内奥は板ガラス１３で仕切られることになるが、室内側から収納庫の内部が見えるのを防止するために、補強桟１７と下側の横戸枠１２との間にはめ込まれる板ガラス１３は擦りガラスで形成してある。図２において符号４２は杷手である。閉じ状態における左右の中空パネル３９・３９は、図示していないラッチで閉じ固定できる。
【００２４】
図５に示すように後者障子２５は、左右一対の障子パネル４５と、障子パネル４５を支える四角枠状の障子枠４６とからなり、前者障子２５と同様に、２枚構成の引き違い開閉自在な引戸として構成する。但し、その障子パネル４５を透明ないし半透明の板ガラスやプラスチック板などの、太陽光の透過を許す採光可能なパネルで形成する点が先の障子２５と異なる。左右一対の障子枠４６は、上下のガイドレール３７・３８でスライド開閉可能に移行案内されており、図示していないラッチで閉じ固定できる。図１において符号４７は障子枠４６に設けた杷手である。
【００２５】
温室として使用する側の収納庫２０には、図５に示すように鉢植えの植物を収容する。収容された植物を室内側からも鑑賞できるようにするために、補強桟１７と下側の横戸枠１２との間にはめ込まれる板ガラス１３は透明なガラスで形成してある。図５において、符号４９は棚板２８の下面４箇所を支える掛止金具、５０は掛止金具４９を係合装着するために側壁２１に縦列状に設けた係合穴である。必要があれば、板ガラス１３を省略して、補強桟１７と下側の横戸枠１２との間に障子２５と同様の引戸を設けることができる。
【００２６】
以上のように、戸本体３を利用して収納庫２０を構成すると、収納庫２０の出っ張り寸法が最大でも２５ｃｍ程度であるので、緊急時の避難に支障を来たすことがないのはもちろん、建物の外観を損ねることもない。また、全ての戸本体３を閉じた状態において、両側端に位置する戸本体３下半部に収納庫２０を設けるので、室内からの視野が収納庫２０によって大きく遮られるのを避けることができるうえ、収納庫２０の上下高さが低い分だけ室内に圧迫感を与えることもない。収納庫２０が採光や換気の邪魔になることも解消できる。
【００２７】
収納庫２０の縦横寸法はそれぞれ９０ｃｍであるので、その範囲内で任意の収納物を収容でき、台所用品や常温で保存できる野菜、洗濯関連用品などを収容できる。収納庫２０は戸本体３とともに開閉移動するので、両側端の戸本体３を開口中央側へ開放する場合に開口枠２の側端を完全に開放できるうえ、収納庫２０の下方床面の清掃を容易に行える。出入口２４がベランダの開放空間に向かって開口するので、戸本体３と正対する姿勢で収納対象を収納庫２０に出し入れでき、例えば収納庫２０の側面側に出入口２４が開口してある場合に比べて、壁面や戸本体３に邪魔されることなく収納対象を容易に出し入れできる利点がある。
【００２８】
図６は戸本体３の別実施例を示す。上記のように、戸本体３を利用して収納庫２０を構成すると、戸本体３に収納庫２０および庫内の収納物の重量による傾動モーメントが作用し、とくに上側のガイドレール８と戸本体３との間に大きな摩擦抵抗を生じ、戸本体３が開閉しにくくなる。そこで、この実施例では上側の横戸枠１２の左右にランナーローラー５２を組み付けて、先の摩擦抵抗を著しく軽減できるようにした。ランナーローラー５２は、横戸枠１２に固定されるローラー軸５３で遊転自在に軸支されており、その周面がガイド枠６の屋外側の転動壁５４で受け止められている。つまり、収納庫２０、および庫内の収納物の重量による傾動モーメントを、ランナーローラー５２を介してガイド枠６で受け止めるようにした。他は先の実施例と同じであるので、同じ部材に同じ符号を付してその説明を省略する。
【００２９】
上記の実施例以外に、側壁２１、屋根壁２２、底壁２３は、それぞれ中空パネル３９と同様に鋼板製のパネルで形成することができ、必要があれば木製やプラスチック製のパネルで形成することができる。収納庫２０の左右側面のいずれか一方に出入口２４を開口することができる。出入口２４は揺動開閉可能なドア２５で開閉することができる。引戸１を構成する戸本体３の使用個数は複数個であればよく、実施例で説明した個数には限らない。
【００３０】
収納庫２０は、板ガラス１３を保護するために庫内奥に壁を設けることができる。側壁２１や屋根壁２２を透明材で形成して、庫内への採光量を増加することができる。障子パネル４５は、透明なプラスチックシートで形成することができる。図１で説明した左右の収納庫２０は、それぞれ収納専用であってもよいし、鉢植え植物を収納するための専用収納庫であってもよい。
【図面の簡単な説明】
【図１】ベランダ用収納庫の斜視図である。
【図２】収納庫の分解斜視図である。
【図３】収納庫の横断平面図である。
【図４】収納庫の上下中途部を省略した縦断側面図である。
【図５】収納庫を鉢植え植物の収納に利用した状態の縦断側面図である。
【図６】戸本体の一部を変更した縦断側面図である。
【符号の説明】
１  引戸
２  開口枠
３  戸本体
１１  縦戸枠
１２  横戸枠
１３  板ガラス
１７  補強桟
２０  収納庫
２１  側壁
２２  屋根壁
２３  底壁
２４  出入口
２５  障子
【図１】
2004270291.tif 000003
【図２】
2004270291.tif 000004
【図３】
2004270291.tif 000005
【図４】
2004270291.tif 000006
【図５】
2004270291.tif 000007
【図６】
2004270291.tif 000008